(57)【要約】【課題】  縦ひだ付き紙製容器の胴部開口縁から部分的に突出した把持片の基部に小寸の切り目を下向きに形成することで、容器胴部を把持片の基部から千切り易くすること。【解決手段】  容器底部２の周囲に多数の縦ひだ３を有する容器胴部４を一体起立成形すると共に、前記容器胴部４の開口縁４ａに部分的に突出する把持片６を一体突設した上広がりの紙製容器５を作るに当たり、前記把持片６の基部に小寸の切り目７を下向きに形成した。【選択図】        図１
0003106171.tif 000002
【実用新案登録請求の範囲】
【請求項１】
容器底部の周囲に多数の縦ひだを有する容器胴部を一体起立成形すると共に、この胴部の開口縁に部分的に突出する把持片を一体突設した上広がりの紙製容器において、前記把持片の基部に小寸の切り目を下向きに形成してなる縦ひだ付き紙製容器。
【請求項２】
容器底部の周囲に多数の縦ひだを有する容器胴部を一体起立成形すると共に、この胴部の開口縁に複数の把持片を一体突設した上広がりの紙製容器において、各把持片の基部のうちの少なくとも一つ基部に小寸の切り目を下向きに形成した縦ひだ付き紙製容器。
【請求項３】
容器底部の周囲に多数の縦ひだを有する容器胴部を一体起立成形すると共に、この胴部の開口縁に部分的に突出する把持片を一体突設した上広がりの紙製容器において、前記把持片基部の両側に小寸の切り目を下向きに形成してなる縦ひだ付き紙製容器。
【請求項４】
前記把持片の複数を容器胴部の開口縁に対をなして水平突設してなる請求項１から請求項３までのいずれか一つの請求項に記載の縦ひだ付き紙製容器。
【請求項５】
前記容器の形成素材としてプラスチックラミネート紙を用いてなる請求項１から請求項４までのいずれか一つの請求項に記載の縦ひだ付き紙製容器。
【請求項６】
前記容器の形成素材としてプラスチックフイルム貼着紙を用いてなる請求項１から請求項４までのいずれか一つの請求項に記載の縦ひだ付き紙製容器。
【請求項７】
前記容器の形成素材としてシリコン樹脂混練紙を用いてなる請求項１から請求項４までのいずれか一つの請求項に記載の縦ひだ付き紙製容器。
【請求項８】
前記容器の形成素材として溶解シリコン樹脂塗着紙を用いてなる請求項１から請求項４までのいずれか一つの請求項に記載の縦ひだ付き紙製容器。
【請求項９】
前記把持片基部の切り目から僅少寸法だけ離隔させて容器底部付近までミシン目状切断線を形成してなる請求項１から請求項８までのいずれか一つの請求項に記載の縦ひだ付き紙製容器。
【考案の詳細な説明】
【技術分野】
【０００１】
この考案は、パンやケーキ、菓子等の食品生地を入れて天火焼き、蒸しなどに用いる加熱加工食品を収納するに好適な縦ひだ付き紙製容器に係り、特に容器胴部を把持片の基部から千切り易くした縦ひだ付き紙製容器に関する。
【背景技術】
【０００２】
この種の縦ひだ付き紙製容器としては、例えば本出願人が先に提案した下記の非特許文献１に記載のように、容器底部の周囲に多数の縦ひだを有する容器胴部を一体起立成形した縦ひだ付き紙製容器における容器胴部の開口縁に対をなす把持片を一体突設した縦ひだ付き紙製容器が周知である。
【非特許文献１】実用新案登録第３０７８５５２号公報
【考案の開示】
【考案が解決しようとする課題】
【０００３】
この従来例は、紙を絞りプレス成形して作る縦ひだ付き紙製容器の胴部開口縁に部分的に突出する対をなす把持片を一体突設してあるので、各把持片を両手で掴み持つことで、熱いものを入れた縦ひだ付き紙製容器でも他所へ安全に持ち運べると共に、多数の縦ひだ付き紙製容器の重積体から容器の単品分離を上記把持片により容易に実行できるという利点が有る反面、前記把持片の基部に切り目が無いから、容器胴部の開口縁を把持片の基部から手指で下向きに極めて千切り辛く、容器胴部の開口縁まで満遍なく密着し上向きに膨出している天火焼きケーキや蒸し菓子などの容器内加工済食品から容器胴部を手指で引き剥がして素早く食することが著しく困難で、特に子供や高齢者の場合には、イライラして癇癪を起こしたり、手指が上記食品に強く触れ易く、手指を汚したりして極めて不衛生であったという本質的かつ、大きな問題点が有り、この問題点は、プラスチックラミネート紙やプラスチックフイルム貼着紙などの剛性強化紙製の紙製容器では、特に著しい。
【０００４】
この考案は、縦ひだ付き紙製容器の胴部開口縁から部分的に突出した把持片の基部に小寸の切り目を下向きに形成することで、容器胴部を把持片の基部から千切り易くすることを目的とする。
【課題を解決するための手段】
【０００５】
上記したこの考案の目的は、容器底部の周囲に多数の縦ひだを有する容器胴部を一体起立成形すると共に、この胴部の開口縁に部分的に突出する把持片を一体突設した上広がりの紙製容器を作るに当たり、上記把持片の基部に小寸の切り目を下向きに形成したことで達成できた。
【考案の効果】
【０００６】
本考案は、以上のような手段を採用したので、以下に記載の効果を奏する。
本考案における請求項１から請求項３までの各考案によれば、縦ひだ付き紙製容器の胴部開口縁から部分的に突出した把持片の基部に小寸の切り目を下向きに形成したので、プラスチックラミネート紙やプラスチックフイルム貼着紙などの剛性を強化した複合紙で作った縦ひだ付き紙製容器でも、その胴部外周面を片手で持ち、他方の手指で把持片をその基部の切り目から千切り下げることで、容器胴部を部分的に把持片と共に容器胴部の開口縁から容器底部まで千切り広げることができ、したがって容器開口縁まで満遍なく密着し上向きに膨出している天火焼きケーキや蒸し菓子などの容器内加工済食品から容器胴部を部分的に容器底部まで把持片と共に手指だけで容易に引き剥がすことができ、その後、この引き剥がし済の各縁辺を両手で摘み互いに外側下方向に引き広げることで、子供や高齢者でも容器胴部の大部分を容器内食品から手指を汚さず容易に引き剥がすことができ、食品の大部分を広げた容器上に表出させて衛生的に食せるという優れた効果が有る。
【０００７】
また、上記各考案によれば、多数の縦ひだ付き紙製容器の重積体からその最上部の容器を順次に単品分離して使用するに当たり、前記把持片の基部の切り目を下向きに形成したから、この切り目は把持片を上向きに引き上げても引き裂けないので、上記最上部の容器における把持片を上向きに引き上げることで、この把持片を千切らせずに多数容器の重積体からその最上部の容器を順次に単品分離できるという効果も有る。
【０００８】
本考案における請求項４の考案によれば、前記把持片の複数を容器胴部の開口縁に対をなして水平突設したので、熱いものを入れた縦ひだ付き紙製容器でも手持ち状態の安定性が増し、両手鍋式に縦ひだ付き紙製容器を持てるので、より一層安全かつ便利であるという効果を付加でき、また、本考案における請求項５から請求項８までの各考案では、縦ひだ付き紙製容器の素材としてそれぞれプラスチックラミネート紙やプラスチックフイルム貼着紙とかシリコン樹脂混練紙や溶解シリコン樹脂塗着紙などの剛性を強化した紙素材を用いたから、容器全体としての剛性が大となるため、食品生地の加熱膨張時や容器運搬時における縦ひだ付き紙製容器の外広がり変形を防止できると共に、容器内食品の加熱時の容器内面へのコビリ付きを防止できるという効果を付加でき、さらに、本考案における請求項９の考案のように前記把持片基部の切り目から僅少寸法だけ離隔させて容器底部付近までミシン目状切断線を形成すれば、上述したような剛性を強化した紙素材製の縦ひだ付き紙製容器でも、上記ミシン目状切断線から容器胴部を部分的に把持片と共に容器胴部の開口縁から容器底部まで千切り広げることができるという効果を付加できた。
【考案を実施するための最良の形態】
【０００９】
本考案の実施の形態例について図面を参照して説明する。
この考案の最良の実施の形態は、普通紙またはポリ・エチレン・テレフタレート（ＰＥＴ）やポリプロピレン（ＰＰ）などのプラスチックをラミネートしたり貼着した剛性強化複合紙やシリコン樹脂混練紙とか溶解シリコン樹脂塗着紙などの剛性強化紙による図２のようなブランク１を用いて図１・図３のような容器底部２の周囲に多数の縦ひだ３を有する容器胴部４を一体起立成形し、その開口縁４ａに２対の把持片６を一体突設する。
【００１０】
すなわち、上記把持片６となる部分は、図２のように四角い用紙の角部に向け型抜きした把持片突部６ａとその基部両側に小寸の切り目７とを有する容器成形用ブランク１から周知の雌雄一対のベベルギャ状のプレス成形金型により、容器底部２の周囲に多数の縦ひだ３を有する容器胴部４の開口縁４ａから図１・図３のように部分的に突出する例えば四対の把持片６を一体突設すると共に、これら各把持片６のうちの少なくとも一つの把持片６または全部の把持片６の基部の片側または両側にそれぞれ小寸の切り目７を上記各図のように下向きに形成することで、この考案による縦ひだ付き紙製容器５を得た。
【００１１】
したがって、この考案による縦ひだ付き紙製容器５を使用するに当たり、この容器がプラスチックラミネート紙やプラスチックフイルム貼着紙などの剛性強化複合紙やシリコン樹脂混練紙などの剛性強化紙で作った剛性大きい縦ひだ付き紙製容器であっても、その胴部４の外周面を片手で持ち、他方の手指で把持片６をその基部６Ａの切り目７から下向き、または斜めに引き下げて容器胴部４を部分的に把持片６と共に開口縁４ａから容器底部２まで図１のように千切りながら把持片６をさらに手前に引くことで、容器胴部の開口縁４ａまで満遍なく密着し上向きに膨出している容器内加工済食品から容器胴部４を同図１のように部分的に手指だけで容易に引き剥がすことができ、その後、この引き剥がし済の各縁辺４ｂの上部をさらに両手で摘み持って図１の矢示のように互いに外側下向きに引き広げることで、容器胴部４の大部分を容器内加工済食品から子供や高齢者でも手指を汚さず容易に引き剥がすことができ、加工済食品の大部分を広がった縦ひだ付き紙製容器５の上面に表出させて衛生的に食せる。
【００１２】
また、多数の縦ひだ付き紙製容器の重積体からその最上部の容器５を順次に単品分離して使用するには、前記把持片６の基部６Ａの切り目７を下向きに形成したから、この切り目７は把持片６を上向きに引き上げても引き裂けないので、上記最上部の容器５における把持片６を上向きに引き上げることで、この把持片６を千切らせずに多数容器の重積体からその最上部の容器５を順次に単品分離できる。
【実施例】
【００１３】
この考案における底板１の平面形状は、各図のような円形に限らず、楕円形や正方形とか六角形等の多角形としても良く、また、本考案容器における把持片６は、図４のように横向きに折り曲げて水平の把持片６とし、その折曲基部に切り目７を形成してもよく、さらに、前記切り目７は各把持片６の基部の全部に形成する必要は無く、各把持片６の基部のうちの少なくとも一つ基部に切り目７を形成するだけでもこの切り目７から容器胴部４を下向きに千切ることができるし、前記把持片基部の切り目７から僅少寸法だけ離隔させて容器底部付近まで図２のようにミシン目状切断線ｍを形成すれば、前述したような剛性を強化した紙素材製の縦ひだ付き紙製容器でも、上記ミシン目状切断線から容器胴部を部分的に把持片と共に容器胴部の開口縁から容器底部まで千切り広げることができる。
【００１４】
さらに、この考案による縦ひだ付き紙製容器を作る紙葉は、普通紙でもよいが、食品衛生上問題ないプラスチックラミネート紙やプラスチックフイルム貼着紙とかシリコン樹脂混練紙・溶解シリコン樹脂塗着紙などの剛性を強化した紙素材を用いれば、容器全体としての剛性が大となるため、食品生地の加熱膨張時や容器運搬時における縦ひだ付き紙製容器の外広がり変形を防止できると共に、容器内食品の加熱時の容器内面へのコビリ付きを防止できる。
【産業上の利用可能性】
【００１５】
本考案による縦ひだ付き紙製容器は、冷凍菓子用の紙製容器としても利用できる。
【図面の簡単な説明】
【００１６】
【図１】この考案による縦ひだ付き紙製容器の使用例を示す斜視図
【図２】図１に示す容器成形用ブランクの型抜き展開図
【図３】この考案による縦ひだ付き紙製容器の一例を示す斜視図
【図４】この考案による容器の他の実施例を示す斜視図
【符号の説明】
【００１７】
１…容器成形用ブランク
２…容器底部
３…縦ひだ
４…縦ひだ付きの容器胴部  ４ａ…容器胴部の開口縁
５…縦ひだ付き紙製容器
６…開口縁に一体突設した把持片  ６ａ…ブランクの把持片突部
７…把持片基部の下向き切り目
【図１】
0003106171.tif 000003
【図２】
0003106171.tif 000004
【図３】
0003106171.tif 000005
【図４】
0003106171.tif 000006